(57)【要約】【課題】引出し滑りレール付き自動閉合装置の提供。【解決手段】一種の引出し滑りレール付き自動閉合装置、滑り座、滑り鉤、滑り駒、ばねおよび内滑りレールに備える連結棒などの構成要素より構成される。滑り鉤の底部アーチ塊は滑り座底壁面のノッチに移動したとき、そのままに陥れるのではなく、滑り鉤はアーチ塊後側のアーチに沿って徐々に陥れると共に、滑り鉤の傾斜固定溝も傾斜角度により、上向きして滑り座の底壁面に備える誘導塊に導いて、滑り鉤と滑り駒は滑り座両側における移動行程に素早く陥れることなく、滑りレールと連結された引出しにより緩やかな移動動作を実現するほか、該滑り鉤の傾斜固定溝は滑り座の底壁面に備える誘導塊によって、確実に押さえて固定し、不注意によるぶつかり、衝撃、または地震などで、滑り鉤が抜け、滑り駒と合せてばねの復帰力量によって、後側に移動するような誤動作を防止し、自動閉合の機能を確保できる。【選択図】図３
0003125539.tif 000002
【実用新案登録請求の範囲】
【請求項１】
滑り座を設け、該外滑りレールの底壁面に連結固定し、該外滑りレールは固定部材により、キャビネット体の内側壁の側面に締結し固定する、該滑り座の左右両側の後部は突出部を設け、取付溝をそれぞれに設けて、ばねの他端に掛けて固定する、該滑り座はさらに滑り溝を設け、該滑り溝両側に隣接し対称にした壁面に、同一方向の滑り溝を設ける、滑り溝の下部は底壁面と隣接し、該底壁面前段は上向きに対称に延ばして誘導塊を設け、低位から高位に後部誘導斜面、天面および前部当接面をそれぞれに設け、該誘導塊の底部は底壁面の軸方向に平行し、かつ、該底壁面は該誘導塊の一端に仕切溝を設け、該仕切溝は底壁面に向かって引込みノッチを設け、
滑り鉤左右両側の後部に案内棒を滑り座の滑り溝両側の隣接壁面に備える滑り溝に旋接し、該滑り鉤を滑り座の滑り溝にて往復に移動し、その前側に下方に傾斜する傾斜案内面を設け、中間付近部は固定溝を設け、その上部の後側に、該固定溝に隣接して当て駒を設け、滑り鉤の後側に下部が開放する旋接溝を設けて、滑り駒の旋軸と旋接し、該滑り鉤の前段に開放状の傾斜固定溝を設け、該傾斜固定溝の形状はおおむねに、滑り座の底壁面に備える誘導塊の形状に対応し、かつ、該傾斜固定溝は上向きに傾斜して、前記の滑り座底壁面の軸方向とはさみ角を形成する滑り鉤前段の中間底部部は下向きに突出したアーチ塊を設け、
滑り駒の両側は滑り座両側の滑り溝に設けて、滑り溝から抜けないように、その両側に当て駒を設け、当て駒は延ばして鉤部を設け、ばねの一端に連結した上、ばねの他端と滑り座連結する、該滑り駒の前側にノッチを設け、該ノッチに旋軸を設けて、滑り鉤の後側に備える旋接溝と旋接し、
連結棒は一体化成型により、引出し滑りレールの引出し外側壁に締結し固定する内滑りレールの一端に設け、該連結棒の内側は溝孔に隣接し、
前記構成要素を組み合わせることにより、引出しは内滑りレールに連動して繰り出すとき、連結棒は滑り鉤を連動し、滑り鉤両側の案内棒に備える滑り溝を前方に移動し、滑り駒も連動して前方に移動し、ばねを引っ張り、滑り鉤の底部に備えるアーチ塊が滑り座底壁面のノッチに来たとき、そのままに陥れるのではなく、滑り鉤はその底部のアーチ塊後側のアーチに沿って徐々に陥り、滑り鉤の傾斜固定溝も傾斜角度を上向きに滑り座底面に備える誘導塊に導き、該アーチ塊が底壁面のノッチへ完全に没入したとき、滑り鉤の傾斜固定溝は底壁面の誘導塊に導入され、該誘導塊と当接し固定し、滑り鉤は前側が下向きに傾斜して、滑りレールの連結棒を滑り鉤の固定溝から離して、引き続きに前方に移動し、引出しを繰り出し、そして、引出しと内滑りレールに連動して、元の位置に戻すときは、連結棒の前側は後側に移動し、滑り鉤の固定溝に隣接する当て駒の前部壁面に押させて、滑り鉤の前側を上に巻き上げて、連結棒を滑り鉤の固定溝に移動し、滑り鉤の傾斜固定溝は滑り座の誘導塊の固定から解放し、滑り鉤のアーチ塊は底壁面のノッチを離すことにより、滑り鉤と滑り駒はばねの復帰力量により、滑り溝の後側に移動しながら、滑り鉤は固定溝に隣接した前部側壁と連動し、内滑りレールの連結棒と合せて、後側に移動して、元の位置に復帰し、自動閉合効果を達成できる、一種の引出し滑りレール付き自動閉合装置。
【請求項２】
該滑り座はさらに、固定溝を設けて、取付または固定あるいはその他方式により、オイルシリンダーを設ける、該オイルシリンダーの心軸の一端は滑り駒に備える取付溝を挿入し連結する、滑り駒はばねの弾性復帰力量により後側に復帰し移動するとき、オイルシリンダーの心軸は、オイルシリンダー内部に引き込みの油圧抵抗力を利用し、滑り駒の後側に復帰する移動速度を低下し、滑り鉤と内滑りレールによって、連結された引出しの後側に復帰する移動速度を緩やかに変わり、緩衝効果を発揮することを特徴とする請求項１記載の引出し滑りレール付き自動閉合装置。
【請求項３】
該滑り座底壁面の誘導塊は多辺形体を設け、該滑り鉤の傾斜固定溝も合せて多辺形溝孔を設けることを特徴とする請求項１記載の引出し滑りレール付き自動閉合装置。
【考案の詳細な説明】
【技術分野】
【０００１】
本考案は一種の引出し滑りレール付き自動閉合装置に関わるものである。滑り鉤の脱けだしによる誤動作を防止でき、自動閉合機能を確保できるほか、順調な移動動作を実現する。
【背景技術】
【０００２】
公知技術の引出し滑りレール９（図１、図２）の自動閉合装置９１はばね９２、滑り駒９３および内滑りレール９４に備える係止め部材９４１より構成される。ばね９２は自動閉合座９１のばね収容溝９１２に設けるため、ばね９２を往復に引き延ばしたとき、該ばね９２の内側はばね収容溝９１２の内壁面と摩擦を引き起こすことにより、ばね９２は使用後に変形や弾性疲労を引き起こす。さらに、自動閉合座９１を外滑りレール９５に設けることにより、ばね９２故障で取り外し交換のときに、支障を起きる。一方、滑り駒９３は二つの案内棒９３１、９３２により、自動閉合座９１の滑り溝９１１にて往復移動する。滑り溝９１１側面は屈折し伸ばして係り止め溝９１１１を形成して、前記の滑り駒９３に備える一つの案内棒９３１を係止める。しかしながら、利用者は引出し収容物整理のとき、不注意によるぶつかりで、滑り駒９３の案内棒９３１が滑り溝９１１の係止め溝９１１１の脱けだしにより、滑り駒９３を離し、ばね９２の力量により、後側に移動し、異常動作を引き起してしまい。引出しをもとに戻すとき、自動閉合機能を失い、利用者に迷惑を掛かる。一方、特許文献１特許文献２及び特許文献３もこのような欠点がある。さらに、前記のばね９２の一端は水平方向の往復移動ではなく、案内棒９３１の外側に掛けられているため、滑り駒９３の移動に支障を引き起こすほか、ばね９２は時間経過に毀損し易い。また、該滑り駒９３はばね９２による引っ張り力量が大きいため、振動により、滑り駒９３の移動は順調に行えない。
【０００３】
【特許文献１】米国特許第５２０７７８１号明細書
【特許文献２】米国特許第５３０２０１６号明細書
【特許文献３】ＰＣＴ特許第ＷＯ  ０１／８２７９Ａ２号明細書
【考案の開示】
【考案が解決しようとする課題】
【０００４】
本考案者は前記し公知技術の製品の欠点を鑑みて、絶えずに研究と改良を繰り返した結果、一種の引出し滑りレール付き自動閉合装置を考案した。
【０００５】
滑り鉤両側の傾斜固定溝は滑り座の底壁面に備えると確実に押さえて固定し、不注意によるぶつかり、衝撃、または地震などで、滑り鉤が抜けて、滑り駒と合せてばねの復帰力量によって、後側に移動するような誤動作を防止し、自動閉合の機能を確保できる、一種の引出し滑りレール付き自動閉合装置を提供することを本考案の主な目的とする。
【０００６】
滑り鉤の底部アーチ塊は滑り座の底壁面に備えるノッチに移動したとき、そのままに陥れるのではなく、滑り鉤はアーチ塊後側のアーチに沿って徐々に陥れると共に、滑り鉤両側に備える傾斜固定溝も傾斜角度により、上向きして滑り座の底壁面に備える誘導塊に導くため、滑り鉤と滑り駒は滑り座両側における移動行程に素早く陥れることなく、滑りレールと連結された引出しに対して、より緩やかな移動動作を与える、一種の引出し滑りレール付き自動閉合装置を提供することを本考案の次の目的とする。
【０００７】
ばねは外部に露出しておく、滑り座との摩擦を避け、ばねの毀損率を軽減できる。さらに、ばねを外部に露出させることにより、取り外し交換および組み立ての便利を実現する、一種の引出し滑りレール付き自動閉合装置を提供することを本考案のさらなる一つの目的とする。
【０００８】
滑り鉤は滑り駒と旋接した上、滑り駒はさらにばねと接続する。これにより、滑り駒の往復移動はより順調のほか、滑り駒はさらにオイルシリンダーと接続し、緩衝の働きにより、騒音の低減を図る、一種の引出し滑りレール付き自動閉合装置を提供することを本考案のもう一つの目的とする。
【課題を解決するための手段】
【０００９】
請求項１の考案は、滑り座を設け、該外滑りレールの底壁面に連結固定し、該外滑りレールは固定部材により、キャビネット体の内側壁の側面に締結し固定する、該滑り座の左右両側の後部は突出部を設け、取付溝をそれぞれに設けて、ばねの他端に掛けて固定する、該滑り座はさらに滑り溝を設け、該滑り溝両側に隣接し対称にした壁面に、同一方向の滑り溝を設ける、滑り溝の下部は底壁面と隣接し、該底壁面前段は上向きに対称に延ばして誘導塊を設け、低位から高位に後部誘導斜面、天面および前部当接面をそれぞれに設け、該誘導塊の底部は底壁面の軸方向に平行し、かつ、該底壁面は該誘導塊の一端に仕切溝を設け、該仕切溝は底壁面に向かって引込みノッチを設け、
滑り鉤左右両側の後部に案内棒を滑り座の滑り溝両側の隣接壁面に備える滑り溝に旋接し、該滑り鉤を滑り座の滑り溝にて往復に移動し、その前側に下方に傾斜する傾斜案内面を設け、中間付近部は固定溝を設け、その上部の後側に、該固定溝に隣接して当て駒を設け、滑り鉤の後側に下部が開放する旋接溝を設けて、滑り駒の旋軸と旋接し、該滑り鉤の前段に開放状の傾斜固定溝を設け、該傾斜固定溝の形状はおおむねに、滑り座の底壁面に備える誘導塊の形状に対応し、かつ、該傾斜固定溝は上向きに傾斜して、前記の滑り座底壁面の軸方向とはさみ角を形成する滑り鉤前段の中間底部部は下向きに突出したアーチ塊を設け、
滑り駒の両側は滑り座両側の滑り溝に設けて、滑り溝から抜けないように、その両側に当て駒を設け、当て駒は延ばして鉤部を設け、ばねの一端に連結した上、ばねの他端と滑り座連結する、該滑り駒の前側にノッチを設け、該ノッチに旋軸を設けて、滑り鉤の後側に備える旋接溝と旋接し、
連結棒は一体化成型により、引出し滑りレールの引出し外側壁に締結し固定する内滑りレールの一端に設け、該連結棒の内側は溝孔に隣接し、
前記構成要素を組み合わせることにより、引出しは内滑りレールに連動して繰り出すとき、連結棒は滑り鉤を連動し、滑り鉤両側の案内棒に備える滑り溝を前方に移動し、滑り駒も連動して前方に移動し、ばねを引っ張り、滑り鉤の底部に備えるアーチ塊が滑り座底壁面のノッチに来たとき、そのままに陥れるのではなく、滑り鉤はその底部のアーチ塊後側のアーチに沿って徐々に陥り、滑り鉤の傾斜固定溝も傾斜角度を上向きに滑り座底面に備える誘導塊に導き、該アーチ塊が底壁面のノッチへ完全に没入したとき、滑り鉤の傾斜固定溝は底壁面の誘導塊に導入され、該誘導塊と当接し固定し、滑り鉤は前側が下向きに傾斜して、滑りレールの連結棒を滑り鉤の固定溝から離して、引き続きに前方に移動し、引出しを繰り出し、そして、引出しと内滑りレールに連動して、元の位置に戻すときは、連結棒の前側は後側に移動し、滑り鉤の固定溝に隣接する当て駒の前部壁面に押させて、滑り鉤の前側を上に巻き上げて、連結棒を滑り鉤の固定溝に移動し、滑り鉤の傾斜固定溝は滑り座の誘導塊の固定から解放し、滑り鉤のアーチ塊は底壁面のノッチを離すことにより、滑り鉤と滑り駒はばねの復帰力量により、滑り溝の後側に移動しながら、滑り鉤は固定溝に隣接した前部側壁と連動し、内滑りレールの連結棒と合せて、後側に移動して、元の位置に復帰し、自動閉合効果を達成できる、一種の引出し滑りレール付き自動閉合装置としている。
請求項２の考案は、該滑り座はさらに、固定溝を設けて、取付または固定あるいはその他方式により、オイルシリンダーを設ける、該オイルシリンダーの心軸の一端は滑り駒に備える取付溝を挿入し連結する、滑り駒はばねの弾性復帰力量により後側に復帰し移動するとき、オイルシリンダーの心軸は、オイルシリンダー内部に引き込みの油圧抵抗力を利用し、滑り駒の後側に復帰する移動速度を低下し、滑り鉤と内滑りレールによって、連結された引出しの後側に復帰する移動速度を緩やかに変わり、緩衝効果を発揮することを特徴とする請求項１記載の引出し滑りレール付き自動閉合装置としている。
請求項３の考案は、該滑り座底壁面の誘導塊は多辺形体を設け、該滑り鉤の傾斜固定溝も合せて多辺形溝孔を設けることを特徴とする請求項１記載の引出し滑りレール付き自動閉合装置としている。
【考案の効果】
【００１０】
本考案は以下の向上効果を有する、
１．滑り鉤３底部のアーチ塊３７が滑り座１底壁面２のノッチ１３１に移動したとき、そのままに陥れるのではなく、該滑り鉤３はアーチ塊３７後側３７１のアーチに沿って徐々に陥れる。滑り鉤３の傾斜固定溝３６も傾斜角度により、上向きに滑り座１の底壁面２に備える誘導塊１２１に誘導する。これにより、滑り鉤３および滑り駒４が滑り座１両側の滑り溝１０１における移動行程は、素早く下部に陥れるのではなく、内滑りレール２２と連結された引出しにより安定し順調な移動動作を実現する、
２．滑り鉤３のアーチ塊３７が滑り座１の底壁面１２に備えるノッチ１３１へ完全に没入したとき、該滑り鉤３の傾斜固定溝３６は滑り座１の底壁面１２に備える誘導塊１２１に導いて、確実に押さえて固定する。さらに、滑り鉤３の前側は下向きに傾斜して、内滑りレール２２の連結棒２２１は滑り鉤３の固定溝３３を離れて、引出しを順調に繰り出すことができる。前記の滑り鉤３の傾斜固定溝３６は滑り座１の底壁面１２の誘導塊１２１と確実に押さえて固定する。不注意によるぶつかりや地震などで、滑り鉤３が抜けて、滑り駒４と合せてばね３０の復帰力量により、後側に移動するような誤動作を防止し、自動閉合機能を確保できる、
３．ばね３０は滑り座１から露出することにより、ばね３０を往復に引き延ばしたときは、滑り座１と摩擦しないため、ばね３０の毀損率を軽減できるほか、ばね３０を露出することにより、取り外し交換および組み立てが便利に行える、
４．滑り鉤３と滑り駒４を旋接した後、滑り駒４とばね３０を接続することにより、滑り駒４の往復移動をより順調に行える。緩衝効果を図るため、滑り駒４はさらに、オイルシリンダー５に接続し、騒音を低減できる。
【考案を実施するための最良の形態】
【００１１】
図３〜図１４に示すものは、本考案による一種の引出し滑りレール付き自動閉合装置である。滑り座１を設け、その後側に固定孔１１１、１１２を設けて、引出し滑りレール２に備える外滑りレール２１の底部端面に一体化成型した突起部（図示していない）によって挿入し連結するか、または固定あるいはその他方式により、該外滑りレール２１（図５）の底部端面に連結固定する。該外滑りレール２１はさらに、固定部材（図示していない）とキャビネット体（図示していない）に備える内側壁の側面に連結固定する。該滑り座１の後側に取付溝１０３を設けて、ばね３０の他端３０２が掛けて固定する。該滑り座１はさらに、滑り溝１０を設け、該滑り溝１０両側に対称した壁面同一方向の滑り溝１０１を設け、滑り溝１０１の下方は底壁面１２に隣接し、該底壁面１２前段の両側は上向きに延ばして、対称した誘導塊１２１（図９）を設け、低位から高位に後部誘導斜面１２１１、天面１２１２および前部当接面１２１３を設けて、底部と底壁面１２が軸方向に平行するおおむねの台形体を形成する。該底壁面１２は該二つの誘導塊１２１の間に仕切溝１３（図６）を設け、該仕切溝１３は底壁面１２に引き込む引込み溝４３４（図１０）を設けて、前記の滑り溝１０の後側に阻止壁を隣接して設ける。
【００１２】
滑り鉤３は、左右両側の後部に案内棒３１を設ける。滑り座１の滑り溝１０両側の隣接壁面に備える滑り溝１０１に旋接することにより、該滑り鉤３は滑り座１の滑り溝１０にて往復に移動する。さらにその前側に前部の下方に傾斜する誘導斜面３２を設け、中間付近部に固定溝３３を設ける。その上部の後側に該固定溝３３に隣接して当て駒３４を設け、該当て駒３４の後側３４２は滑り座１に備える滑り溝１０の後側に隣接して設ける阻止壁１０４により係止められる。滑り鉤３の後側は下部が開放する旋接溝３５（図１０）を設けて、滑り駒４の旋軸４２１と旋接する。該滑り鉤３前段の両側に開放状の傾斜固定溝３６を設け、二つの傾斜固定溝３６の形状は、おおむねに滑り座１の底壁面１２に備える二つの誘導塊１２１の形状に対称する。該二つの傾斜固定溝３６は上向きに傾斜して、前記の滑り座１の底壁面１２の軸方向とはさみ角を形成する。滑り鉤３前段の中間付近部は下部に突き出すアーチ塊３７を設ける。
【００１３】
滑り駒４の両側４０は滑り座１両側の滑り溝１０１に設けて、滑り溝１０１から抜けないように、その両側に当て駒４１を設ける。当て駒４１は延ばして鉤部４１１を設け、ばね３０の一端３０１に連結した上、ばね３０の他端３０２と滑り座１連結する。該滑り駒４の前側にノッチ４９を設け、該ノッチ４９に旋軸４２１を設けて、滑り鉤３の後側に備える旋接溝３５と旋接する。
【００１４】
連結棒２２１（図５、図７）は、引出し滑りレール２において、引出し（図示していない）の側面外壁に締結する内滑りレール２２の一端に設ける。該連結棒２２１は、内滑りレール２２の端面に一体化成型し、その内側は溝孔２２２に隣接し該連結棒２２１はアーチ体を設ける。
【００１５】
前記構成要素を組み合わせることにより、引出し（図示していない）は内滑りレール２２と合せて繰り出すとき、その連結棒２２１は滑り鉤３を連動し、滑り鉤３は両側の案内棒３１により、滑り座１両側の滑り溝１０１に沿って前側に移動する（図１１）。滑り駒４も連動して前側に移動しながら、ばね３０を引っ張り、滑り鉤３底部のアーチ塊３７が滑り座１の底壁面１２に備えるノッチ１３１はそのままに陥れるのではなく、該滑り鉤アーチ塊３７後側３７１のアーチに沿って徐々に陥れると共に、滑り鉤３両側の傾斜固定溝３６も傾斜角度により、上向きして滑り座１の底壁面１２に備える誘導塊１２１に導き、該アーチ塊３７は底壁面１２のノッチ１３１に没入したとき、該滑り鉤３両側の傾斜固定溝３６は固定するための底壁面１２両側に備える誘導塊１２１に導入され、該両側の誘導塊１２１と当接し固定することにより（図１２、図１３）、滑り鉤３を前側の下方に傾斜して、滑りレール２２の連結棒２２１を滑り鉤３の固定溝３３を離れて、前側に引き続きに移動（図１２の矢印方向）し、引出しを繰り出す。これに対して引出しと内滑りレール２２を復帰させ元の位置に戻すときは、連結棒２２１の前側は、後側の滑り鉤３に備える固定溝３３と隣接した当て駒３４の前部壁面３４１押さえることにより、滑り鉤３の前側を上に巻き上げて、連結棒２２１を滑り鉤３の固定溝３３に移動し、滑り鉤３両側の傾斜固定溝３６は滑り座１二つの誘導塊１２１の固定から解放する。このとき、滑り鉤３のアーチ塊３７は底壁面１２のノッチ１３４を離すことにより、滑り鉤３と滑り駒４はばね３０の復帰力量により、滑り溝１０１の後側に移動しながら、滑り鉤３は固定溝３３に隣接した前部側壁３３１と連動し、内滑りレール２２の連結棒２２１と合せて、後側に移動して、元の位置に復帰し、滑り鉤３に備える当て駒３４の後側３４２が滑り座１の阻止壁１０４によって係止めて（図９、図１０）、自動閉合を実現する。
【００１６】
前記の滑り座１の後側はさらに、固定溝１４（図１３）を設けて、取付または固定あるいはその他方式により、オイルシリンダー５を設ける。該オイルシリンダー５の心軸５１の一端５１１は滑り駒４に備える取付溝４３（図８）を挿入し連結する。滑り駒４はばね３０の弾性復帰力量により後側に復帰し移動するとき、オイルシリンダー５の心軸５１がオイルシリンダー５内部に引き込みの油圧抵抗力を利用し、滑り駒４の後側に復帰する移動速度を低下し、滑り鉤３と内滑りレール２２によって、連結された引出しの後側に復帰する移動速度を緩やかに変わり、緩衝効果を発揮し、引出しが後側に復帰するときの激しい振動を防止するほか、騒音の低下および構成部品の破損を減少し、使用寿命を延長する長所がある。
【００１７】
さらに、前記の滑り座１の底壁面１２に備える誘導塊１２１は台形体に制限されることなく、他の形状の多辺形体で有っても良い。また前記の滑り鉤３に備える傾斜固定溝３６も台形溝に制限されることなく、誘導塊１９４形状に対応した多辺形溝孔を設けても良い。
【００１８】
なお、前記の滑り座１左右両側の後部に突き出し部を設け、該突き出し部は前記の取付溝１０３をそれぞれ設け、ばね３０の他端３０２を掛けて固定する。ばね３０の一端３０１は前記の滑り駒４両側に備える当て駒４１より延ばして設ける鉤部４１１に掛けて固定することにより、ばね３０を外部に露出しておく、引っ張られたとき滑り座１との摩擦がなく、ばね３０の取り外し交換が便利の長所がある。なお、滑り座１左右両側の後部は新たに前記の外滑りレール２１に連結するための固定孔１１１、１１２を設ける。
【００１９】
図１４〜図１６に示すものは、本考案もう一つの実施例であり、前記の実施例の主な技術内容は同じである。滑り座１と滑り鉤３は若干に異なる。
【００２０】
該滑り座１の底壁面１２前段の中央部は上向きに延ばして誘導塊１２１を形成し、低位から高位に後部誘導斜面１２１１、天面１２１２および前部当接面１２１３を設けて、おおむねに底部と底壁面１２の軸方向が平行する台形体を形成するほか、該底壁面１２は、該誘導塊１２１の両側に仕切溝１３を設け、該仕切溝１３は底壁面１２に向かって引込みノッチ１３１を設ける。
【００２１】
該滑り鉤３前部の中間部は下部が開放する傾斜固定溝３６を設け、該傾斜固定溝３６の形状は、おおむねに滑り座１の底壁面１２に備える誘導塊１２１の形状に対応する。さらに、該傾斜固定溝３６は上向きに傾斜して、前記の滑り座１に備える底壁面１２の軸方向とはさみ角を形成する。滑り鉤３前段の両側の底部に下向きに突出したアーチ塊３７を設け、アーチ塊３７の上部は前記の傾斜固定溝３６後側の下部に近づける。
【００２２】
引出し（図示していない）は内滑りレール２２に連動し繰り出すとき、連結棒２２１は滑り鉤３に連動することにより、滑り鉤３はその両側に備える案内棒３１は滑り座１両側に備える滑り溝１０１に沿って前側に移動し、滑り駒４と合せて連動し移動しばね３０を引っ張る。滑り鉤３底部のアーチ塊３７が滑り座１底壁面１２のノッチ１３１に移動したとき、そのままに陥れるのではなく、滑り鉤３はその底部のアーチ塊３７後側３７１のアーチに沿って徐々に陥れると共に、滑り鉤３の傾斜固定溝３６も傾斜角度により、上向きして滑り座１の底壁面１０１２に備える誘導塊１２１に導くため、該アーチ塊３７が底壁面１２のノッチ１３１に完全に没入したとき、該滑り鉤３の傾斜固定溝３６は固定底壁面１２の誘導塊１２１に導入され、該誘導塊１２１に当接し固定する。滑り鉤３の前側は下向きに傾斜する状態となり、内滑りレール２２の連結棒２２１は滑り鉤３の固定溝３３を離して、引き続きに前方に移動し、引出しを繰り出す。
【００２３】
前述のとおり、本考案は以下の向上効果を有する、
１．滑り鉤３底部のアーチ塊３７が滑り座１底壁面２のノッチ１３１に移動したとき、そのままに陥れるのではなく、該滑り鉤３はアーチ塊３７後側３７１のアーチに沿って徐々に陥れる。滑り鉤３の傾斜固定溝３６も傾斜角度により、上向きに滑り座１の底壁面２に備える誘導塊１２１に誘導する。これにより、滑り鉤３および滑り駒４が滑り座１両側の滑り溝１０１における移動行程は、素早く下部に陥れるのではなく、内滑りレール２２と連結された引出しにより安定し順調な移動動作を実現する、
２．滑り鉤３のアーチ塊３７が滑り座１の底壁面１２に備えるノッチ１３１へ完全に没入したとき、該滑り鉤３の傾斜固定溝３６は滑り座１の底壁面１２に備える誘導塊１２１に導いて、確実に押さえて固定する。さらに、滑り鉤３の前側は下向きに傾斜して、内滑りレール２２の連結棒２２１は滑り鉤３の固定溝３３を離れて、引出しを順調に繰り出すことができる。前記の滑り鉤３の傾斜固定溝３６は滑り座１の底壁面１２の誘導塊１２１と確実に押さえて固定する。不注意によるぶつかりや地震などで、滑り鉤３が抜けて、滑り駒４と合せてばね３０の復帰力量により、後側に移動するような誤動作を防止し、自動閉合機能を確保できる、
３．ばね３０は滑り座１から露出することにより、ばね３０を往復に引き延ばしたときは、滑り座１と摩擦しないため、ばね３０の毀損率を軽減できるほか、ばね３０を露出することにより、取り外し交換および組み立てが便利に行える、
４．滑り鉤３と滑り駒４を旋接した後、滑り駒４とばね３０を接続することにより、滑り駒４の往復移動をより順調に行える。緩衝効果を図るため、滑り駒４はさらに、オイルシリンダー５に接続し、騒音を低減できる。
【図面の簡単な説明】
【００２４】
【図１】公知技術の引出し滑りレールによる自動閉合装置の局部立体図である。
【図２】公知技術の引出し滑りレールによる自動閉合装置の側面視概略図である。
【図３】本考案の好ましい実施例による立体分解図である。
【図４】本考案の好ましい実施例による立体図である。
【図５】本考案の好ましい実施例における外滑りレールに設けて、内滑りレールに挿入しないときの立体分解図である。
【図６】本考案の好ましい実施例における滑り座もう一つ角度の立体図である。
【図７】本考案の好ましい実施例における内滑りレールの局部側面断面図である。
【図８】本考案の好ましい実施例における滑り駒もう一つ角度の立体図である。
【図９】本考案の好ましい実施例における滑り鉤が滑り座の阻止壁によって、係止められた状態の見下ろし概略図である。
【図１０】本考案の好ましい実施例における滑り鉤が滑り座の阻止壁によって、係止められた状態の側面概略図である。
【図１１】本考案の好ましい実施例における滑り鉤の傾斜固定溝が滑り座底壁面のノッチに近づいたときの側面断面概略図である。
【図１２】本考案の好ましい実施例における滑り鉤の傾斜固定溝が滑り座底壁面の誘導塊に固定したときの側面概略図である。
【図１３】本考案の好ましい実施例における滑り座の上視図である。
【図１４】本考案のもう一つの好ましい実施例における滑り鉤の傾斜固定溝が滑り座底壁面の誘導塊に固定したときの側面概略図である。
【図１５】本考案のもう一つの好ましい実施例における滑り鉤と滑り座の立体分解図である。
【図１６】本考案の好ましい実施例における滑り座もう一つ角度の立体図である。
【符号の説明】
【００２５】
２、９  滑りレール
９１  自動閉合座
１０、１０１、９１１  滑り溝
９１１１  係止め溝
９１２  収容溝
９２  ばね
９３  滑り駒
９３１、９３２  案内棒
２２、９４  内滑りレール
９４１  係止め部材
２１、９５  外滑りレール
１  滑り座
１０３  取付溝
１０４  阻止壁
１１１、１１２  固定孔
１２  底壁面
１２１  誘導塊
１２１１  後部誘導斜面
１２１２  天面
１２１３  当接面
１３  仕切溝
１３１  ノッチ
１４、３３、３６  固定溝
１９４  誘導塊
２２１  連結棒
２２２  溝孔
３  滑り鉤
３０  ばね
３０１、５１１  一端
３０２  他端
３１  案内棒
３２  誘導斜面
３３１  前部側壁
３４  当て駒
３４１  前部壁面
３４２  後側
３５  旋接溝
３７  アーチ塊
３７１  後側
４  滑り駒
４０  両側
４１  当て駒
４１１  鉤部
４２１  旋軸
４３  取付溝
４９、４３４  ノッチ
５  オイルシリンダー
５１  心軸
【図１】
0003125539.tif 000003
【図２】
0003125539.tif 000004
【図３】
0003125539.tif 000005
【図４】
0003125539.tif 000006
【図５】
0003125539.tif 000007
【図６】
0003125539.tif 000008
【図７】
0003125539.tif 000009
【図８】
0003125539.tif 000010
【図９】
0003125539.tif 000011
【図１０】
0003125539.tif 000012
【図１１】
0003125539.tif 000013
【図１２】
0003125539.tif 000014
【図１３】
0003125539.tif 000015
【図１４】
0003125539.tif 000016
【図１５】
0003125539.tif 000017
【図１６】
0003125539.tif 000018